(57)【要約】【課題】  液体容器の洗浄が不要で、構造が簡単になる液体容器の取付構造を提供すること。【解決手段】  液体容器の取付構造２０の液体容器３０を、筒状開口部３４を備えた容器本体３１と、筒状開口部３４に着脱可能に取り付けられ上面に挿通孔３２ｂが形成された蓋部３２と、蓋部３２の挿通孔３２ｂを通る吐出管３３ａと押圧部３３ｂと吐出口３３ｃを含むポンプ３３とからなるポンプディスペンサー式の容器で構成した。また、壁面部１１ａに取付孔２５を備えた手前が下方になるように傾斜した支持部材２２と前面カバー２３を備えた収納ボックス２１取り付けた。そして、取付孔２５に筒状開口部３４を通し、その状態の筒状開口部３４に蓋部３２を取り付けて液体容器３０を支持部材２２に固定した。また、取付孔２５の周縁部に収縮可能な弾性部材２６を設けた。【選択図】  図２
2006325947.tif 000002
【特許請求の範囲】
【請求項１】
上部に筒状開口部が設けられた容器本体と、前記筒状開口部の外周部に着脱可能に取り付けられ上面に挿通孔が形成された蓋部と、前記蓋部の挿通孔に液密的に挿通する管状部と前記管状部の上端に設けられた押圧部と、前記押圧部に設けられた吐出口を含むポンプとからなると共に液状入浴用品が収容されたポンプディスペンサー式の液体容器を浴室内における所定の取付場所に取り付けるための液体容器の取付構造であって、前記取付場所に取付孔を備えた支持部材を取り付け、前記取付孔の下方から上方に向けて前記筒状開口部を通し、その状態の前記筒状開口部に前記蓋部を取り付けて前記容器本体の底部を空中に浮かせた状態で前記液体容器を前記支持部材に固定することにより前記取付場所に取り付けたことを特徴とする液体容器の取付構造。
【請求項２】
前記取付孔の周縁部に収縮可能な弾性部材を設けた請求項１に記載の液体容器の取付構造。
【請求項３】
前記支持部材の下部側に、前記容器本体を被覆するカバー部材を着脱可能に取り付けた請求項１または２に記載の液体容器の取付構造。
【請求項４】
前記支持部材の前記取付場所への取付側部分の高さよりも、前記支持部材の先端側部分の高さが低くなるようにして、前記液体容器の上部側が前記液体容器の底部側よりも前記取付場所から離れるように前記液体容器を傾斜させて設置した請求項１ないし３のうちのいずれか一つに記載の液体容器の取付構造。
【請求項５】
前記取付場所を壁面部に設けられた凹部で構成するとともに、前記凹部に前記凹部の奥部から前記凹部の開口側に向って延びるガイド部を設け、前記支持部材を前記ガイド部に沿って移動可能に取り付けた請求項１ないし３のうちのいずれか一つに記載の液体容器の取付構造。
【請求項６】
前記支持部材を、周縁部が曲面状に形成された支持穴を備えた支持部と、前記液体容器が取り付けられ前記支持穴の周縁部に対して摺動可能な摺動部とで構成し、前記摺動部を前記支持穴の周縁部に対して摺動させることによって前記液体容器の傾斜角度を調整可能とした請求項１ないし３のうちのいずれか一つに記載の液体容器の取付構造。
【発明の詳細な説明】
【技術分野】
【０００１】
本発明は、ボディソープやシャンプー等の液状入浴用品が収容された液体容器を浴室内における所定の取付場所に取り付けるための液体容器の取付構造に関する。
【背景技術】
【０００２】
従来から、浴室内で使用されるボディソープやシャンプー等の液状入浴用品は、カウンター上や棚等に置かれる場合が多い。また、このような液状入浴用品の中には、押しボタンと吐出用ノズルを備えた収納ボックス内に収容されて使用されるものがある（例えば、特許文献１参照）。この収納ボックスは、押しボタンを押すことにより内部に収容された液状入浴用品を吐出用ノズルから所定量ずつ外部に吐出するように構成されている。
【特許文献１】特開２０００−１０２４９１号公報
【発明の開示】
【０００３】
しかしながら、カウンター上にボディソープ等を置いた場合には、置いた場所が汚れてしまうといった問題がある。また、前述した従来の収納ボックスにおいては、カウンター上等が汚れることはないものの、収納ボックスに押しボタンや吐出用ノズルを設けなければならないため、構造が複雑になるという問題があり、更に、収納ボックスの収容部に入れる液状入浴用品の種類を変える場合には、収容部内の洗浄が必要になり手間が係るという問題もある。さらに、商品の表示がされた容器から液状入浴用品を収容部に移し替えるため収容部に収容された液状入浴用品の種類が分からなくなるという問題もある。
【０００４】
本発明は、前述した問題に対処するためになされたもので、その目的は、カウンター上等が汚れることがなく、液体容器の洗浄が不要で、構造が簡単になる液体容器の取付構造を提供することである。
【０００５】
前述した目的を達成するため、本発明に係る液体容器の取付構造の構成上の特徴は、液上部に筒状開口部が設けられた容器本体と、筒状開口部の外周部に着脱可能に取り付けられ上面に挿通孔が形成された蓋部と、蓋部の挿通孔に液密的に挿通する管状部と管状部の上端に設けられた押圧部と、押圧部に設けられた吐出口を含むポンプとからなると共に液状入浴用品が収容されたポンプディスペンサー式の液体容器を浴室内における所定の取付場所に取り付けるための液体容器の取付構造であって、取付場所に取付孔を備えた支持部材を取り付け、取付孔の下方から上方に向けて筒状開口部を通し、その状態の筒状開口部に蓋部を取り付けて容器本体の底部を空中に浮かせた状態で液体容器を支持部材に固定することにより取付場所に取り付けたことにある。
【０００６】
このように構成した本発明に係る液体容器の取付構造では、市販のポンプディスペンサー式の容器をそのまま液状入浴用品を収容する液体容器として使用でき、支持部材は、液状入浴用品を収容するのではなく液体容器を支持するだけで済むため、簡単な構造にでき製造が容易になるとともに安価につく。さらに、液体容器内の液状入浴用品が無くなった場合には、詰め替え用の液状入浴用品を詰め替えたり、液体容器ごと新たな液体容器と取り替えることができるため、空になった液体容器の洗浄作業は不要になる。また、容器本体の底部を浮かせた状態で容器本体が支持部材に固定されるため、カウンター上等が汚れることもない。
【０００７】
更に、市販の液体容器には、内容物の表示があるため、液状入浴用品の種類を間違えることがなくなる。なお、この場合の取付場所としては、浴室の壁面部、浴槽の側面部等、浴室内の種々の場所とすることができるが、入浴者が身体や頭を洗うときに位置するカウンターの前部の近傍とすることが好ましい。また、取付孔は、筒状開口部を通すことができ、蓋部を通すことができない大きさにすることが好ましいが、取付孔の周縁部に所定の固定用部材を設けて、取付孔に液体容器を固定することもできる。
【０００８】
本発明に係る液体容器の取付構造の他の構成上の特徴は、取付孔の周縁部に収縮可能な弾性部材を設けたことにある。これによると、筒状開口部の大きさが異なる液体容器であっても、弾性部材がその大きさに応じて収縮するため、種々の大きさの液体容器を安定した状態で取り付けることができる。
【０００９】
本発明に係る液体容器の取付構造のさらに他の構成上の特徴は、支持部材の下部側に、容器本体を被覆するカバー部材を着脱可能に取り付けたことにある。
【００１０】
これによると、カバー部材で液体容器を被覆できるため美観が増すようになる。また、液体容器を取り替える際には、カバー部材を外すことができるためカバー部材が取り替え作業の邪魔になることはない。さらに、カバー部材が汚れて洗浄する際にも、カバー部材を外すことができるため洗浄作業がしやすくなる。また、一般に、市販のポンプディスペンサー式の液体容器では、シャンプー、リンス、ボディソープ等の内容物の区別がつくように、ポンプ取付部の蓋部が色分けされているため、容器本体がカバー部材で隠れても内部の液状入浴用品の種類を知ることができる。また、この場合、カバー部材は容器本体の前面や側面を被覆し底面側は開口した状態にすることが好ましい。これによると、カバー部材の内部に湯水や液状入浴用品が溜まることを防止できる。
【００１１】
また、本発明に係る液体容器の取付構造のさらに他の構成上の特徴は、支持部材の取付場所への取付側部分の高さよりも、支持部材の先端側部分の高さが低くなるようにして、液体容器の上部側が液体容器の底部側よりも取付場所から離れるように液体容器を傾斜させて設置したことにある。
【００１２】
これによると、ポンプの押圧部や吐出口が、液体容器内の液状入浴用品を使用する入浴者に近づくと共に傾いた状態となるため、押圧部の操作がし易くなるとともに、吐出口から吐出される液状入浴用品が、支持部材や液体容器の表面等にかかってしまうようなことがなくなる。また、支持部材が、手前側が低くなるように傾斜しているため、支持部材を板状のもので構成してもその上面に水勾配が形成される。したがって支持部材の上面に湯水が溜まることがなく、汚れ防止も可能になる。
【００１３】
また、本発明に係る液体容器の取付構造のさらに他の構成上の特徴は、取付場所を壁面部に設けられた凹部で構成するとともに、凹部に凹部の奥部から凹部の開口側に向って延びるガイド部を設け、支持部材をガイド部に沿って移動可能に取り付けたことにある。
【００１４】
これによると、液状入浴用品を使用しないときには、液体容器を凹部内に後退させておき、液状入浴用品を使用するときに、液体容器を凹部から引き出すことができる。このため、液状入浴用品を使用しないときに、液体容器が壁面部から突出して邪魔になることがなくなる。この場合、ガイド部を円弧状に形成して、液体容器を凹部から引き出したときに、液体容器の底部が凹部内に残り液体容器の上部が手前側に傾斜して凹部から突出するようにすることが好ましい。また、液体容器が垂直な姿勢を維持したたまま凹部の内部から手前側に移動するようにしてもよい。
【００１５】
また、本発明に係る液体容器の取付構造のさらに他の構成上の特徴は、支持部材を、周縁部が曲面状に形成された支持穴を備えた支持部と、液体容器が取り付けられ支持穴の周縁部に対して摺動可能な摺動部とで構成し、摺動部を支持穴の周縁部に対して摺動させることによって液体容器の傾斜角度を調整可能としたことにある。これによると、液体容器の傾斜角度を任意の角度に調節することができるため、液体容器をその都度使い易い角度に傾斜させることができる。
【発明を実施するための最良の形態】
【００１６】
（第１実施形態）
以下、本発明の第１実施形態を図面を用いて詳しく説明する。図１は本発明に係る液体容器の取付構造２０を備えた浴室１０を示している。この浴室１０では、浴室１０内と屋外とを仕切る壁面部１１に窓１２が設けられており、床面１３における窓１２側部分に浴槽１４が壁面部１１に沿って設けられている。また、この浴槽１４は、図１における前後の側面を、それぞれ壁面部１１ａ等（手前側の壁面部は図示せず）に沿わせて設置されている。そして、壁面部１１の対向面には、出入り用のドア（図示せず）が設けられた壁面部１５が設置され、各壁面部１１等の上端部には、天井部１６が設置されている。
【００１７】
また、浴槽１４の側方における壁面部１１ａに沿った部分にカウンター１７が設けられ、壁面部１１ａにおけるカウンター１７の上方部分に鏡１８ａ、棚部１８ｂ、シャワー１９ａが設けられている。そして、浴槽１４の上面におけるカウンター１７の近傍には水栓１９ｂが設けられている。また、壁面部１１ａにおけるカウンター１７と鏡１８ａとの間に、液体容器の取付構造２０を構成する収納ボックス２１が取り付けられている。この液体容器の取付構造２０は、収納ボックス２１内に３個の液体容器３０ａ，３０ｂ，３０ｃを収容して構成されている。液体容器３０ａ，３０ｂ，３０ｃは、市販のポンプディスペンサー式の容器で構成され、内部に、それぞれボディソープ、シャンプーまたはリンスからなる液状入浴用品が収容されている。
【００１８】
収納ボックス２１は、図２に示したように、支持部材２２と、本発明のカバー部材としての前面カバー２３とで構成されている。支持部材２２は、壁面部１１ａに沿って設置された固定板部２２ａと、固定板部２２ａの上端部から前方斜め下方に向って傾斜して延びる取付板部２２ｂと、収納ボックス２１の両側面を構成する側面部２２ｃとで構成されている。そして、この支持部材２２は、固定板部２２ａが固定ねじ２４によって壁面部１１ａに固定されることによって設置されている。また、取付板部２２ｂには、長手方向（図１における左右方向）に沿って一定間隔で、３個の取付孔２５が形成され、取付板部２２ｂの前端部（下端部）には、下方後部側に向って突出した係合垂れ片２２ｄが形成されている。
【００１９】
各取付孔２５には、それぞれゴムやエラストマ等の軟質材からなるリング状の弾性部材２６が取り付けられており、この弾性部材２６を介して各取付孔２５に液体容器３０ａ，３０ｂ，３０ｃが取り付けられている。また、この弾性部材２６の外周部には、円周に沿って溝部２６ａが形成されており、溝部２６ａに取付孔２５の周縁部を係合させて、弾性部材２６は取付孔２５に取り付けられている。また、各側面部２２ｃの下端前部における対向する部分には、それぞれ短軸状の支軸２７が形成されている。
【００２０】
前面カバー２３は、表面における上下方向の中央側部分が突出するようにやや湾曲した板状に形成され、下端部に、支軸２７に回転可能に係合できる回転係合部２３ａが形成され、上端部に支持部材２２の係合垂れ片２２ｄと係合可能な係合部２３ｂが形成されている。回転係合部２３ａは、前面カバー２３の裏面における下端部の両側にそれぞれ設けられており、軸方向が水平方向になり後部側が開口した円弧状に形成されている。この回転係合部２３ａは、後部開口を支軸２７に押し付けて広げることにより、支軸２７を内部側に入れて支軸２７に係合することができ、その状態では、前面カバー２３は支軸２７を中心として上下方向に回転可能になる。
【００２１】
また、係合部２３ｂは、前面カバー２３の表面部から後部側に屈曲した段部で構成されており、前面カバー２３を撓ませた状態で支持部材２２の内部側に押し込むことができ、その状態では、前面カバー２３の自重により下方に移動しようとして係合垂れ片２２ｄに係合する。また、前面カバー２３の上部側部分における係合部２３ｂの近傍には、表面側が引込み裏面側が突出した凹部２８が形成されている。この凹部２８に指を掛けて操作することにより前面カバー２３の開閉操作が行えるように構成されている。また、収納ボックス２１の下面は開口した状態になっている。
【００２２】
液体容器３０ａ，３０ｂ，３０ｃ（以下、図２、図３、図７および図８では、液体容器３０として説明する。）は、容器本体３１、蓋部３２およびポンプ３３で構成されている。容器本体３１は、大径の収容部の上端部に、弾性部材２６の内部を通ることのできる筒状開口部３４を形成して構成されている。そして、図３に示したように、筒状開口部３４の外周面には、ねじ３４ａが形成されている。蓋部３２は、内周面にねじ３４ａと係合可能なねじ３２ａが形成されたキャップ状の蓋で構成され、上面部の中央に挿通孔３２ｂが形成されている。また、蓋部３２の太さ（直径）は、弾性部材２６の内部を通ることのできない大きさに設定されている。
【００２３】
ポンプ３３は、蓋部３２の挿通孔３２ｂを通って、外部から容器本体３１内の底部に延びる本発明の管状部としての吐出管３３ａと、吐出管３３ａの上端部に形成された押圧部３３ｂと、押圧部３３ｂの側部に形成された吐出口３３ｃとで構成されている。このポンプ３３は、一般的なポンプディスペンサー式の容器が備える公知のポンプからなっており、蓋部３２と一体的に構成されている。このため、押圧部３３ｂを押すことにより、容器本体３１内に収容されている液状入浴用品、例えばボディソープ３５を吐出管３３ａの下端部から吸い取り、押圧部３３ｂの内部を通過させて吐出口３３ｃから外部に吐出させることができる。
【００２４】
このように構成された液体容器３０を、収納ボックス２１内に設置する場合には、まず、前面カバー２３を開いて、収納ボックス２１の前面を開口させた状態にしておく。ついで、蓋部３２およびポンプ３３を取り外した状態の新品の容器本体３１を、収納ボックス２１内に入れ、筒状開口部３４を弾性部材２６の穴部に位置決めした状態で容器本体３１を持ち上げることにより、筒状開口部３４を弾性部材２６の穴部内に通す。つぎに、取付板部２２ｂの上面に突出した筒状開口部３４の上方から容器本体３１の内部に向けて、ポンプ３３の吐出管３３ａを差し込み、蓋部３２のねじ３２ａを、筒状開口部３４のねじ３４ａに係合させることにより、容器本体３１の底部を浮かせた状態で液体容器３０を支持部材２２に固定する。
【００２５】
この筒状開口部３４に蓋部３２を取り付ける際に、弾性部材２６は、容器本体３１と蓋部３２とによって押し潰されて収縮する。これによって、液体容器３０の支持部材２２への固定がより確実なものになる。また、同様にして、他の取付孔２５にもそれぞれシャンプーまたはリンスが収容された液体容器３０を取り付ける。そして、前面カバー２３を回転させて、係合部２３ｂを支持部材２２の係合垂れ片２２ｄに係合させ収納ボックス２１の前面を閉じる。これによって、異なる液状入浴用品がそれぞれ充填された３個の液体容器３０ａ，３０ｂ，３０ｃの収納ボックス２１への取り付けが終了する。なお、３個の液体容器３０ａ，３０ｂ，３０ｃの蓋部３２は、それぞれ異なる色が着色されており、その色により各液体容器３０ａ，３０ｂ，３０ｃ内の内容物を区別できるようになっている。
【００２６】
また、入浴者が、カウンター１７の前で体や頭髪を洗ったりする場合には、カウンター１７の前に椅子を置くとともに、カウンター１７の上面に洗面器を置く。そして、入浴者は、椅子に座り、水栓１９ｂや浴槽１４内から洗面器内に湯水を取り込んで体や頭髪を洗う。その際、各液体容器３０ａ，３０ｂ，３０ｃの押圧部３３ｂを押して、ボディソープ３５やシャンプー等を液体容器３０ａ，３０ｂ，３０ｃからそれぞれ取り出して使用する。この場合、押圧部３３ｂが入浴者の手前側に延びるように、液体容器３０は傾斜して配置されているため、押圧部３３ｂの操作がし易くなる。また、吐出口３３ｃも入浴者の手前に位置するため、吐出口３３ｃから吐出するボディソープ３５等を掌で受け止め易くなる。
【００２７】
そして、使用により液体容器３０ａ，３０ｂ，３０ｃ内のボディソープ３５等が無くなった場合には、前面カバー２３を開けた状態で、容器本体３１から蓋部３２およびポンプ３３を取り外す。ついで、容器本体３１を下方に引っ張って支持部材２２から外し、詰め替え用のボディソープ等を詰め替えるか、或いは蓋部３２やポンプ３３とともに廃棄し、前述した操作により、新たな液体容器３０ａ，３０ｂ，３０ｃを収納ボックス２１内に取り付ける。
【００２８】
このように、本実施形態に係る液体容器の取付構造２０によれば、市販のポンプディスペンサー式の容器をそのまま液体容器３０ａ，３０ｂ，３０ｃとして使用できる。また、収納ボックス２１は、液体容器３０ａ，３０ｂ，３０ｃを支持するだけの簡単な構造のものですむため、製造が容易で安価につく。さらに、液体容器３０ａ，３０ｂ，３０ｃ内の液状入浴用品が無くなった場合には、詰め替え用の液状入浴用品を詰め替えるか、或いは液体容器３０ａ，３０ｂ，３０ｃごと取り替えるため、使用後の液体容器３０ａ，３０ｂ，３０ｃの洗浄作業は不要になる。また、液体容器３０ａ，３０ｂ，３０ｃの蓋部３２は、それぞれ内容物に応じて異なる色に着色されているため、液状入浴用品の種類を間違えることがなくなる。
【００２９】
また、収納ボックス２１の取付孔２５の周縁部には、収縮可能な弾性部材２６が設けられているため、液体容器３０ａ，３０ｂ，３０ｃの筒状開口部３４の大きさが異なっていても、各液体容器液体容器３０ａ，３０ｂ，３０ｃを安定した状態で取り付けることができる。さらに、収納ボックス２１の前面を前面カバー２３で構成したため、液体容器３０ａ，３０ｂ，３０ｃが外部から見えなくなり美観が増すようになる。また、液体容器３０ａ，３０ｂ，３０ｃを取り替える際には、前面カバー２３を外すことができるため邪魔にならない。
【００３０】
さらに、収納ボックス２１が汚れて洗浄する際には、前面カバー２３を収納ボックス２１から外すことができるため洗浄しやすくなる。また、液体容器３０ａ，３０ｂ，３０ｃの押圧部３３ｂや吐出口３３ｃが入浴者側に近づくように液体容器３０ａ，３０ｂ，３０ｃを傾斜させて設置したため、押圧部３３ｂの操作がし易くなるとともに、吐出口３３ｃから吐出される液状入浴用品を、収納ボックス２１の表面等にかけてしまうことなく手で受け止めることができる。
【００３１】
（第２実施形態）
図４は、本発明の第２実施形態に係る液体容器の取付構造２０ａを備えた浴室１０ａを示している。この液体容器の取付構造２０ａは、壁面部１５ａにおけるカウンター１７ａの近傍部分に設けられている。また、液体容器の取付構造２０ａは、入浴者が使い易い適宜な位置に設置されるが、本実施形態においてはカウンター１７ａの上面と略等しい高さに位置するように設置されている。この液体容器の取付構造２０ａのそれ以外の構成については、前述した第１実施形態に係る液体容器の取付構造２０と同一である。したがって、同一部分に同一符号を記して説明は省略する。
【００３２】
このように構成したため、カウンター１７ａの上方の空間部が広くなり、カウンター１７ａの上面を効果的に使用できるようになる。また、各液体容器３０ａ，３０ｂ，３０ｃ内の液状入浴用品が勢いよく吐出口３３ｃから吐出されても床面１３上に落下するため、こぼれた液状入浴用品は湯水によって簡単に排水口（図示せず）に流すことができる。この液体容器の取付構造２０ａのそれ以外の作用効果については、前述した第１実施形態に係る液体容器の取付構造２０と同様である。
【００３３】
（第３実施形態）
図５は、本発明の第３実施形態に係る液体容器の取付構造２０ｂを備えた浴室１０ｂを示している。この液体容器の取付構造２０ｂは、浴槽１４ｂの露出した側面におけるカウンター１７ｂの近傍部分に設けられている。この液体容器の取付構造２０ｂのそれ以外の構成については、前述した第１実施形態に係る液体容器の取付構造２０と同一である。したがって、同一部分に同一符号を記して説明は省略する。このように構成したため、各液体容器３０ａ，３０ｂ，３０ｃと水栓１９ｂとの位置が近くなり、湯水や各液状入浴用品の取出しを一方向からだけでできるようになる。この液体容器の取付構造２０ｂのそれ以外の作用効果については、前述した第２実施形態に係る液体容器の取付構造２０ａと同様である。
【００３４】
（第４実施形態）
図６は、本発明の第４実施形態に係る液体容器の取付構造２０ｃを備えた浴室１０ｃを示している。この液体容器の取付構造２０ｃは、カウンター１７ｃの前面に設けられている。この液体容器の取付構造２０ｃのそれ以外の構成については、前述した第１実施形態に係る液体容器の取付構造２０と同一である。したがって、同一部分に同一符号を記して説明は省略する。また、この液体容器の取付構造２０ｃの作用効果については、前述した第３実施形態に係る液体容器の取付構造２０ｂと同様である。
【００３５】
（第５実施形態）
図７は、本発明の第５実施形態に係る液体容器の取付構造４０を示している。この液体容器の取付構造４０は、壁面部４１に形成された凹部４１ａ内に設けられており、液体容器３０の上部は、収納ボックス４２とともに前後方向（図７では左右方向）に移動可能な状態で設置されている。すなわち、凹部４１ａの内部における両側部には、凹部４１ａの奥側の壁面４１ｂから凹部４１ａの開口側に向ってレールからなる一対のガイド部４３（一方のガイド部４３しか図示せず）が湾曲して延びている。このガイド部４３は、壁面４１ｂから水平方向に延びた後にやや前方下方に湾曲しながら延びており、ガイド部４３の湾曲した長手方向に沿って左右に貫通するガイド穴４３ａが形成されている。
【００３６】
また、凹部４１ａの内部における壁面４１ｂの下端近傍の両側部には、短軸からなる一対の支軸４４（一方の支軸４４しか図示せず）が設けられている。そして、収納ボックス４２の上端後部の両側には、それぞれガイド部４３のガイド穴４３ａにスライド移動可能な状態で係合する係合突起４５が形成され、収納ボックス４２の下端部の両側には、それぞれ支軸４４に回転可能な状態で係合する係合穴部４６が形成されている。したがって、収納ボックス４２は、支軸４４を中心として回転し、図７に実線で示した位置と二点鎖線で示した位置との間で移動可能になっている。この液体容器の取付構造４０のそれ以外の部分の構成については、前述した第１実施形態に係る液体容器の取付構造２０と同一である。したがって、同一部分に同一符号を記して説明は省略する。
【００３７】
このように構成したため、ボディソープ３５等の液状入浴用品を使用しないときには、収納ボックス４２を凹部４１ａ内に収容しておき、ボディソープ３５等の液状入浴用品を使用するときには、収納ボックス４２を前方に引き出して、液体容器３０内のボディソープ３５等の液状入浴用品を使用することができる。このため、液状入浴用品を使用しないときに、収納ボックス４２が前方に突出して邪魔になることがなくなる。この液体容器の取付構造４０のそれ以外の作用効果については、前述した第１実施形態に係る液体容器の取付構造２０と同様である。なお、この液体容器の取付構造４０も前述した第２〜第４実施形態のように、浴室１０内の種々の場所に設けることができる。
【００３８】
（第６実施形態）
図８は、本発明の第６実施形態に係る液体容器の取付構造５０を示している。この液体容器の取付構造５０では、収納ボックス５１の支持部材５２の上面に周縁部５３ａが曲面状に形成された３個の支持穴５３（１個しか図示せず）が一定間隔で形成され、その各支持穴５３に回転部５４が、回転部５４の中心部を中心とした任意の垂直面および水平面で中心部を中心に回転可能に取り付けられている。回転部５４は、周縁部の下部側部分に支持部材５２の周縁部５３ａに対して摺動可能になった曲面状突起５４ａが形成され、中央に取付孔５５が形成されている。そして、この取付孔５５に弾性部材５６を介して液体容器３０が取り付けられている。この液体容器の取付構造５０のそれ以外の部分の構成については、前述した第１実施形態に係る液体容器の取付構造２０と同一である。したがって、同一部分に同一符号を記して説明は省略する。
【００３９】
このように構成したため、液体容器３０の傾斜角度を任意の角度に調節することができ、液体容器３０を使い易い角度に傾斜させることができる。また、液体容器３０を取り替える際には、液体容器３０を回転部５４とともに、収納ボックス５１から取り外して作業を行うことができるため、取り換え作業がし易くなる。この液体容器の取付構造５０のそれ以外の作用効果については、前述した第１実施形態に係る液体容器の取付構造２０と同様である。なお、この液体容器の取付構造５０も前述した第２〜第４実施形態のように、浴室１０内の種々の場所に設けることができる。
【００４０】
また、本発明に係る液体容器の取付構造は、前述した各実施形態に限定するものでなく、本発明の技術的範囲内で適宜変更実施が可能である。例えば、前述した実施形態では、収納ボックス２１等を固定ねじ２４を用いて壁面部１１ａ等に固定しているが、この収納ボックス２１等は、壁面部１１ａや浴槽の側面部等に一体成形により形成してもよい。また、第１実施形態に係る液体容器の取付構造２０を壁面部等に形成した凹部内に設けることもできる。さらに、前述した実施形態では、前面カバー２３を設けて、前方から容器本体３１が見えないようにしているが、この前面カバー２３を省略して、容器本体３１を露出させることもできる。
【００４１】
また、液体容器３０を支持する支持部材としては、壁面部等の取付場所に液体容器３０を取り付けることのできるものであればよく、ボックス状のものに限らず、板状や棒状のもので構成することもできる。また、前述した実施形態では、弾性部材２６を介して取付孔２５に液体容器３０を取り付けているが、容器本体３１に蓋部３２を取り付けることにより、液体容器３０を取付孔２５に固定できる場合には、この弾性部材２６は省略してもよい。
【００４２】
また、弾性部材２６に代えて、リング状のワッシャー等を用いることもできる。さらに、第５実施形態に係る液体容器の取付構造４０では、ガイド部４３を湾曲させて、液体容器３０を傾斜させるようにして凹部４１ａ内から前方に突出させるようにしているが、このガイド部を真直ぐなレールで構成するとともに、支軸４４を省略して、液体容器３０が垂直な姿勢を保ったまま凹部から進退するようにすることもできる。その他、本発明に係る液体容器の取付構造を構成する各部分の形状や材質等も適宜変更することができる。
【図面の簡単な説明】
【００４３】
【図１】本発明の第１実施形態に係る液体容器の取付構造を備えた浴室を示した斜視図である。
【図２】液体容器の取付構造を示した断面図である。
【図３】液体容器の取付構造の要部を拡大して示した断面図である。
【図４】本発明の第２実施形態に係る液体容器の取付構造を備えた浴室を示した斜視図である。
【図５】本発明の第３実施形態に係る液体容器の取付構造を備えた浴室を示した斜視図である。
【図６】本発明の第４実施形態に係る液体容器の取付構造を備えた浴室を示した斜視図である。
【図７】本発明の第５実施形態に係る液体容器の取付構造を示した断面図である。
【図８】本発明の第６実施形態に係る液体容器の取付構造を示した断面図である。
【符号の説明】
【００４４】
１０，１０ａ，１０ｂ，１０ｃ…浴室、１１ａ，１５ａ，４１…壁面部、１４ｂ…浴槽、１７ｃ…カウンター、２０，２０ａ，２０ｂ，２０ｃ，４０，５０…液体容器の取付構造、２１，４２，５１…収納ボックス、２２，５２…支持部材、２２ａ…固定板部、２２ｂ…取付板部、２３…前面カバー、２５，５５…取付孔、２６，５６…弾性部材、３０，３０ａ，３０ｂ，３０ｃ…液体容器、３１…容器本体、３２…蓋部、３２ｂ…挿通孔、３３…ポンプ、３３ａ…吐出管、３３ｂ…押圧部、３３ｃ…吐出口、３４…筒状開口部、３５…ボディソープ、４１ａ…凹部、４１ｂ…壁面、４３…ガイド部、４３ａ…ガイド穴、４５…係合突起、５３…支持穴、５３ａ…周縁部、５４…回転部、５４ａ…曲面状突起。
【図１】
2006325947.tif 000003
【図２】
2006325947.tif 000004
【図３】
2006325947.tif 000005
【図４】
2006325947.tif 000006
【図５】
2006325947.tif 000007
【図６】
2006325947.tif 000008
【図７】
2006325947.tif 000009
【図８】
2006325947.tif 000010